(57)【要約】【課題】金具類に無理な力が加わることなく常に円滑に開閉し、かつ、建物に歪や変形が生じたときでも支障なく使用することができる折戸を提供する。【解決手段】  二枚の扉１１、１３を水平方向にそれぞれ回動自在になるようにヒンジ１５を介して相互に枢着し、建物の開口枠１７には一方の扉１１の基端１１ａを進退不能、かつ、水平方向に回動自在に枢着し、該開口枠における上側水平部１９に配設されたレール２１には他方の扉１３の先端１３ａをガイド手段２３により進退自在、かつ、回動自在に関連させた折戸において、折戸を折り畳むことにより当該他方の扉１３を当該一方の扉１１に近接させたときに当該一方の扉がレール２１に対し９０°を越す角度αまで回動するようにしたことを特徴とする折戸。【選択図】図１
2007321333.tif 000002
【特許請求の範囲】
【請求項１】
二枚の扉を水平方向にそれぞれ回動自在になるようにヒンジを介して相互に枢着し、建物の開口枠には一方の扉の基端を進退不能、かつ、水平方向に回動自在に枢着し、該開口枠における上側水平部に配設されたレールには他方の扉の先端をガイド手段により進退自在、かつ、回動自在に関連させた折戸において、
折戸を折り畳むことにより当該他方の扉を当該一方の扉に近接させたときに当該一方の扉がレールに対し９０°を越す角度まで回動するようにしたことを特徴とする折戸。
【請求項２】
折戸を折り畳むことにより前記他方の扉を前記一方の扉に近接させたときに当該一方の扉がレールに対し９０°を越す角度まで回動するようになすために、前記ヒンジの回動軸を当該一方の扉における内側端よりも基端方向に離れた位置に配設したことを特徴とする請求項１に記載の折戸。
【請求項３】
前記一方の扉の基端を前記開口枠における垂直部に取付具を介して枢着することにより、該取付具により二枚の扉の全重量を支えさせることを特徴とする請求項１又は２に記載の折戸。
【請求項４】
前記レールは底面に長さ方向のガイド杆通過孔を備えた断面略長方形状体とし、前記他方の扉の先端には前記ガイド手段としてガイド杆を突設し、該ガイド杆を該レール内に遊嵌したことを特徴とする請求項１〜３のいずれかに記載の折戸。
【請求項５】
前記ガイド杆は、張出部を備え、該張出部と前記レールの各内面との間に隙間が存在することを特徴とする請求項４に記載の折戸。
【発明の詳細な説明】
【技術分野】
【０００１】
本発明は、建物の開口枠に取り付けられる折戸に関するものであり、特に、金具類に無理な力が加わることなく常に円滑に開閉し、かつ、建物に歪や変形が生じたときでも支障なく使用することができる折戸に係るものである。
【背景技術】
【０００２】
折戸としては、例えば実用新案登録第３１１１４６９号公報及び図９、図１０に示すように、二枚の扉１、３を水平方向にそれぞれ回動自在になるようにヒンジ４を介して相互に枢着し、建物の開口枠における上側水平部に配設されたレール５には一方の扉１の基端１ａを進退不能、かつ、水平方向に回動自在に枢着すると共に他方の扉３の先端３ａを進退自在、かつ、回動自在に係止してなるものが既に知られている。            
【特許文献１】実用新案登録第３１１１４６９号公報
【発明の開示】
【発明が解決しようとする課題】
【０００３】
しかして、上記従来の折戸には次のような問題がある。
【０００４】
（イ）上記従来の折戸においては、二枚の扉１、３は平面図において常時二等辺三角形状を維持しつつ開閉するはずである。即ち、ヒンジ４から一方の扉１の基端１ａまでの長さは、ヒンジ４から他方の扉３の先端３ａまでの長さに等しいのであるから、図９において、一方の扉１とレール５との間の角度ａは他方の扉３とレール５との間の角度ｂに等しくなるはずである。
【０００５】
しかしながら、実際には、折戸を開閉する際に無理な力が加わって、二等辺三角形状が一時的に崩れ、折戸の開閉が重くなり、或いは、扉１、３を相互に枢着しているヒンジ４或いは前記他方の扉３の先端３ａをレール５に進退自在、かつ、回動自在に係止している金具等が損傷し易くなるという問題が生ずる。
【０００６】
（ロ）折戸を折り畳んで開いたときでも、前記一方の扉１とレール５との間の角度ａは、９０°以下である。従って、この状態から一方の扉１を押して折戸を開く際には、当該一方の扉１は他方の扉３をレール５に向かう方向に押し付ける傾向がある。その結果、折戸を閉じる動作が重くなり、特に他方の扉３の先端３ａをレール５に進退自在、かつ、回動自在に係止している金具等に無理な力が加わり、該金具等を損傷させるおそれがある。
【０００７】
（ハ）更に、建物の開口枠に歪や変形が生じたときには、折戸を閉じる動作が重くなり、特に前記他方の扉３の先端３ａをレール５に進退自在、かつ、回動自在に係止している金具等に無理な力が加わり、該金具等を損傷させるおそれがあるだけでなく、建物の開口枠に一定限度を超す歪や変形が生じたときには、折戸の開閉が不可能になることもある。
【０００８】
本発明は、上記従来の折戸における上述の如き問題を解決し、金具類に無理な力が加わることなく常に円滑に開閉し、かつ、建物に歪や変形が生じたときでも支障なく使用することができる折戸を提供しようとしてなされたものである。
【課題を解決するための手段】
【０００９】
上記課題を解決するために、本発明は下記の折戸を提供する。
【００１０】
（１）二枚の扉を水平方向にそれぞれ回動自在になるようにヒンジを介して相互に枢着し、建物の開口枠には一方の扉の基端を進退不能、かつ、水平方向に回動自在に枢着し、該開口枠における上側水平部に配設されたレールには他方の扉の先端をガイド手段により進退自在、かつ、回動自在に関連させた折戸において、
折戸を折り畳むことにより当該他方の扉を当該一方の扉に近接させたときに当該一方の扉がレールに対し９０°を越す角度まで回動するようにしたことを特徴とする折戸（請求項１）。
【００１１】
（２）折戸を折り畳むことにより前記他方の扉を前記一方の扉に近接させたときに当該一方の扉がレールに対し９０°を越す角度まで回動するようになすために、前記ヒンジの回動軸を当該一方の扉における内側端よりも基端方向に離れた位置に配設する（請求項２）。
【００１２】
（３）前記一方の扉の基端を前記開口枠における垂直部に取付具を介して枢着することにより、該取付具により二枚の扉の全重量を支えさせる（請求項３）。
【００１３】
（４）前記レールは底面に長さ方向のガイド杆通過孔を備えた断面略長方形状体とし、前記他方の扉の先端には前記ガイド手段としてガイド杆を突設し、該ガイド杆を該レール内に遊嵌する（請求項４）。
【００１４】
（５）前記ガイド杆は、張出部を備え、該張出部と前記レールの各内面との間に隙間が存在する（請求項５）。
【発明の効果】
【００１５】
［請求項１の発明］
折戸を折り畳むことにより当該他方の扉を当該一方の扉に近接させたときに当該一方の扉がレールに対し９０°を越す角度（図１の符号α参照）まで回動するようにしたため、折戸を閉じる際に当該一方の扉は他方の扉をレールに向かう方向に押し付けるのではなく、当該一方の扉は他方の扉をレールに沿って当該一方の扉から離れる方向に押す。従って、折戸は軽く動き、各扉、ヒンジ等に無理な力がかかることもない。
【００１６】
また、二枚の扉は、平面図において二等辺三角形状をなすものではない。従って、折戸を開閉する際に、各扉、ヒンジ等に無理な力がかかることがなく、折戸は円滑に開閉する。
【００１７】
［請求項２の発明］
ヒンジの回動軸を前記一方の扉における内側端よりも基端方向に離れた位置に配設したため、平面図における各扉の長さが等しい場合でも、当該一方の扉がレールに対し９０°を越す角度まで回動するようになすことができる。
【００１８】
［請求項３の発明］
前記一方の扉の基端を前記開口枠における垂直部に取付具を介して枢着することにより、該取付具により二枚の扉の全重量を支えさせるようにしたため、レールに前記他方の扉の先端を進退自在、かつ、回動自在に関連させるガイド手段には扉の荷重はかからない。従って、ガイド手段はレールに対し円滑に作用する。
【００１９】
［請求項４の発明］
ガイド手段としてのガイド杆はレール内に遊嵌されるため、ガイド杆はレール内面に常時摺接するものではなく、レール内面との摩擦抵抗は小さい。
【００２０】
ガイド手段としてのガイド杆はレール内に遊嵌されるため、建物の開口枠に歪や変形が生じたときでも、その歪や変形がガイド杆とレール内面との隙間により吸収される結果、ガイド杆に無理な力が加わることがなく、折戸は円滑に開閉する。
【００２１】
［請求項５の発明］
ガイド杆は、張出部を備え、該張出部と前記レールの各内面との間に隙間が存在するため、請求項５の発明は前記請求項４の発明と同様の効果を発揮する他、張出部がガイド杆のガイド杆通過孔からの下方への脱落を防止する。
【発明を実施するための最良の形態】
【００２２】
符号１１、１３に示すものは折戸を構成する二枚の扉である。
【００２３】
これらの二枚の扉１１、１３を水平方向にそれぞれ回動自在になるようにヒンジ１５を介して相互に枢着する。
【００２４】
建物の開口枠１７には一方の扉１１の基端１１ａを進退不能、かつ、水平方向に回動自在に枢着し、該開口枠１７における上側水平部１９に配設された水平のレール２１には他方の扉１３の先端１３ａをガイド手段２３により進退自在、かつ、回動自在に関連させる。符号２４に示すものは開口枠１７における下側水平部である。なお、添付図面はアウトセット型の折戸を示しているが、本発明の折戸はインセット型のものであっても差し支えない。
【００２５】
建物の開口枠１７は、主として建物内における部屋と収納室との間の開口枠、廊下と収納室との間の開口枠等であるが、その他、建物内における部屋と部屋との間の開口枠、部屋と廊下との間の開口枠或いは建物における外部に面した開口枠であってもよい。
【００２６】
また、レール２１は、開口枠１７における上側水平部１９に配設されていれば足り、開口枠１７における床面等の下側水平部には必ずしも必要ではない。
【００２７】
しかして、本発明においては、折戸を折り畳むことにより他方の扉１３を一方の扉１１に近接させたときに当該一方の扉１１がレール２１に対し９０°を越す角度α（図１）まで回動するようになす。
【００２８】
図１〜図３に示す事例においては、折戸を折り畳むことにより他方の扉１３を一方の扉１１に近接させたときに当該一方の扉１１がレール２１に対し９０°を越す角度αまで回動するようになすために、扉１１、１３を相互に枢着する前記ヒンジ１５の回動軸１５ａを当該一方の扉１１における内側端１１ｂよりも基端１１ａ方向に離れた位置に配設している。
【００２９】
図１〜図３に示す事例において用いられているヒンジ１５は、回動軸１５ａがヒンジ１５の中心から外れた位置にある。なお、ヒンジ１５は回動軸１５ａがその中心にある通常のものであっても差し支えない。
【００３０】
前記一方の扉１１の基端１１ａを開口枠１７における垂直部２５に取付具２７、２７・・・を介して枢着することにより、該取付具２７、２７・・・により二枚の扉１１、１３の全重量を支えさせる。
【００３１】
取付具２７は、前記一方の扉１１を進退不能、かつ、水平方向に回動自在に取り付け得るものであれば如何なるものであってもよいが、取付具２７の一例を図７に示す。
【００３２】
この事例における取付具２７は、ばね２９を内設することにより、扉１１のバタつきを防止している。
【００３３】
前記レール２１は底面に長さ方向のガイド杆通過孔３１を備えた断面略長方形状体とし、前記他方の扉１３の先端１３ａには前記ガイド手段２３としてガイド杆３３を突設し、該ガイド杆３３を該レール２１内に遊嵌する。
【００３４】
図示の事例においては、他方の扉１３の先端１３ａに支承体３５を取り付け、該支承体３５上に二本のガイド杆３３を突設し、これらのガイド杆３３をレール２１内に遊嵌している。支承体３５は当該他方の扉１３に対し回動自在である。
【００３５】
前記ガイド杆３３は、張出部３７を備え、該張出部３７とレール２１の各内面との間に隙間が存在する。
【００３６】
隙間は、図５に示すように、ガイド杆３３の上端とレール２１内の上面との間の隙間３９、張出部３７とレール２１内の側面との間の隙間４１、張出部３７の下面とレール２１内の下面との間の隙間４３、ガイド杆３３の側面とガイド杆通過孔３１の側面との間の隙間４５等である。
【００３７】
図８は、建物の開口枠１７に二組の折戸を取り付けた状態を示す。図８における建物の開口枠１７には歪が生じているが、ガイド杆３３をレール２１内に遊嵌しているため、折戸は支障なく開閉する。なお、図８は、レール２１とガイド杆３３との位置関係を示すものであって、折戸の開閉に伴うガイド杆３３の動きを多数個のガイド杆３３を仮に描くことにより表している。
【図面の簡単な説明】
【００３８】
【図１】本発明による折戸を折り畳んだ状態を示す平面図である。
【図２】同上折戸の一部を示す平面図である。
【図３】ヒンジを示す正面図である。
【図４】同上折戸を示す側面図である。
【図５】ガイド杆とレールとの関係を示す側面図である。
【図６】ガイド杆とレールとの関係を示す平面図である。
【図７】一方の扉の基端を開口枠における垂直部に取付具を介して枢着した状態を示す平面図である。
【図８】建物の開口枠に二組の折戸を取り付けた状態を示す正面図である。
【図９】従来の折戸を示す平面図である。
【図１０】同上折戸の一部を示す平面図である。
【符号の説明】
【００３９】
１  扉
１ａ  基端
３  扉
３ａ  先端
４  ヒンジ
５  レール
１１  扉
１１ａ  基端
１１ｂ  内側端
１３  扉
１３ａ  先端
１５  ヒンジ
１５ａ  回動軸
１７  建物の開口枠
１９  上側水平部
２１  レール
２３  ガイド手段
２４  下側水平部
２５  垂直部
２７  取付具
２９  ばね
３１  ガイド杆通過孔
３３  ガイド杆
３５  支承体
３７  張出部
３９  隙間
４１  隙間
４３  隙間
４５  隙間
【図１】
2007321333.tif 000003
【図２】
2007321333.tif 000004
【図３】
2007321333.tif 000005
【図４】
2007321333.tif 000006
【図５】
2007321333.tif 000007
【図６】
2007321333.tif 000008
【図７】
2007321333.tif 000009
【図８】
2007321333.tif 000010
【図９】
2007321333.tif 000011
【図１０】
2007321333.tif 000012